(57)【要約】【課題】ノイズフィルタ回路において、ＡＣコードから高周波ノイズが放射されるのを低減する。【解決手段】ノイズフィルタ回路１は、電源供給ライン３ａ、３ｂと、ラインフィルタ４と、コンデンサ５と、パワーインダクタ６ａ、６ｂとを備える。電源供給ライン３ａ、３ｂの一端側は、ＡＣコード２に繋がっており、電源供給ライン３ａ、３ｂの他端側は、電気機器装置の電気回路に接続される。ラインフィルタ４は、電源供給ライン３ａ、３ｂ上に接続されており、コンデンサ５は、一端がＡＣコード２とラインフィルタ４との間における電源供給ライン３ａに接続され、他端がＡＣコード２とラインフィルタ４との間における電源供給ライン３ｂに接続されている。パワーインダクタ６ａ、６ｂは、各々、電源供給ライン３ａ、３ｂ上に接続されている。このような構成により、電気機器装置で発生した高周波ノイズがＡＣコード２に伝わるのを低減することができる。【選択図】図１
2011061477.tif 000002
【特許請求の範囲】
【請求項１】
電気機器装置が交流電源の供給を受けるためのＡＣコードから電磁波ノイズが放射されるのを低減するノイズフィルタ回路において、
前記ＡＣコードから交流電源の供給を受けるための１対の電源供給ライン上に接続されたラインフィルタと、
一端が前記ＡＣコードと前記ラインフィルタとの間における前記１対の電源供給ラインのうちの一方の電源供給ラインに接続されると共に、他端が前記ＡＣコードと前記ラインフィルタとの間における前記１対の電源供給ラインのうちの他方の電源供給ラインに接続されたコンデンサと、
前記１対の電源供給ラインのうちの少なくとも一方の電源供給ライン上に接続されたパワーインダクタと、
を備えることを特徴とするノイズフィルタ回路。
【請求項２】
前記パワーインダクタは、前記ラインフィルタと前記コンデンサとの間における前記電源供給ライン上に接続され、前記コンデンサは、前記１対の電源供給ラインにおける、前記パワーインダクタよりも前記ＡＣコードに近い位置に配されている、
ことを特徴とする請求項１に記載のノイズフィルタ回路。
【発明の詳細な説明】
【技術分野】
【０００１】
本発明は、電気機器装置が交流電源の供給を受けるためのＡＣコードから電磁波ノイズが放射されるのを低減するノイズフィルタ回路に関するものである。
【背景技術】
【０００２】
従来から、例えばＤＶＤレコーダやテレビジョン受像機等の電気機器装置は、ＡＣコードから交流電源の供給を受けて動作するようになっている。このような電気機器装置では、電気機器装置で発生するノイズがＡＣコードに伝わってしまうと、そのノイズがＡＣコードから電磁波ノイズとして放射されてしまう。そこで、このような電気機器装置は、電気機器装置で発生したノイズがＡＣコードに伝わるのを低減することにより、ＡＣコードから電磁波ノイズが放射されるのを低減するようにしたノイズフィルタ回路を備えている。このようなノイズフィルタ回路としては、図２に示す構成のものが知られている。
【０００３】
図２に示すノイズフィルタ回路７０は、ＡＣコード７１から交流電源の供給を受けるための１対の電源供給ライン７２ａ、７２ｂと、電気機器装置で発生したノイズがＡＣコード７１に伝わるのを低減するためのラインフィルタ７３、コンデンサ７４、及びビーズコア７５ａ、７５ｂとを備える。１対の電源供給ライン７２ａ、７２ｂの一端側は、ＡＣコード７１に繋がっており、１対の電源供給ライン７２ａ、７２ｂの他端側は、接続端子７７ａ、７７ｂを介して、電気機器装置の電気回路（電源回路等）に接続される。
【０００４】
ラインフィルタ７３は、１対の電源供給ライン７２ａ、７２ｂ上に接続されている。コンデンサ７４は、一端がＡＣコード７１とラインフィルタ７３との間における電源供給ライン７２ａに接続されていると共に、他端がＡＣコード７１とラインフィルタ７３との間における電源供給ライン７２ｂに接続されている。すなわち、コンデンサ７４は、ＡＣコード７１とラインフィルタ７３との間における１対の電源供給ライン７２ａ、７２ｂ間に接続されている。ビーズコア７５ａ、７５ｂは、ＡＣコード７１とコンデンサ７４との間における電源供給ライン７２ａ、７２ｂ上に接続されている。なお、ＡＣコード７１とビーズコア７５ａとの間における電源供給ライン７２ａ上には、過電流保護用のヒューズ７６が接続されている。
【０００５】
一方、フェライト粉体の中心部に金属導体を埋設して焼成したフェライトビーズが知られている（例えば特許文献１参照）。また、２つの交流電源ラインに、おのおの第１、第２のコイルを接続し、第１、第２のコイルの中間点をビーズインダクタンスを介してバイパスコンデンサにて接地し、高域並びに低域のノイズ成分を除去するようにしたＡＣラインフィルタ回路が知られている（例えば特許文献２参照）。また、ラインフィルタトランスと４つのコンデンサから成るノイズフィルタ回路が知られている（例えば特許文献３参照）。また、電力線に搬送波信号を重畳して伝送する電力線搬送波装置の監視制御装置に使用する単相三線式電力線用のブロックフィルタが知られている（例えば特許文献４参照）。
【先行技術文献】
【特許文献】
【０００６】
【特許文献１】特開平９−２４６０４８号公報
【特許文献２】特開平２−１７９０１５号公報
【特許文献３】特開平５−２７６７５２号公報
【特許文献４】特開昭６４−６１１１０号公報
【発明の概要】
【発明が解決しようとする課題】
【０００７】
しかしながら、上述した従来のノイズフィルタ回路７０においては、電気機器装置で発生する３０ＭＨｚ前後の高周波ノイズがＡＣコードに伝わるのを低減することができておらず、ＡＣコードから３０ＭＨｚ前後の高周波ノイズが放射されてしまう。なお、上述した特許文献１乃至特許文献４に開示の内容を適用したとしても、上記の問題を解決することはできない。
【０００８】
本発明は、上記課題を解決するためになされたものであり、ＡＣコードから高周波ノイズが放射されるのを低減することができるノイズフィルタ回路を提供することを目的とする。
【課題を解決するための手段】
【０００９】
上記目的を達成するために請求項１の発明は、電気機器装置が交流電源の供給を受けるためのＡＣコードから電磁波ノイズが放射されるのを低減するノイズフィルタ回路において、ＡＣコードから交流電源の供給を受けるための１対の電源供給ライン上に接続されたラインフィルタと、一端がＡＣコードとラインフィルタとの間における１対の電源供給ラインのうちの一方の電源供給ラインに接続されると共に、他端がＡＣコードとラインフィルタとの間における１対の電源供給ラインのうちの他方の電源供給ラインに接続されたコンデンサと、１対の電源供給ラインのうちの少なくとも一方の電源供給ライン上に接続されたパワーインダクタと、を備えるものである。
【００１０】
請求項２の発明は、請求項１に記載のノイズフィルタ回路において、パワーインダクタは、ラインフィルタとコンデンサとの間における電源供給ライン上に接続され、コンデンサは、１対の電源供給ラインにおける、パワーインダクタよりもＡＣコードに近い位置に配されているものである。
【発明の効果】
【００１１】
請求項１の発明によれば、１対の電源供給ライン上にラインフィルタが接続され、ＡＣコードとラインフィルタとの間における１対の電源供給ライン間にコンデンサが接続され、１対の電源供給ラインのうちの少なくとも一方の電源供給ライン上にパワーインダクタが接続された構成により、電気機器装置で発生する高周波ノイズがＡＣコードに伝わるのを低減することができ、ＡＣコードから高周波ノイズが放射されるのを低減することができる。
【００１２】
請求項２の発明によれば、パワーインダクタがラインフィルタとコンデンサとの間に接続された構成により、パワーインダクタが発生源となる低周波ノイズをコンデンサにより除去することができるので、上記の低周波ノイズがＡＣコードに伝わるのを低減することができ、ＡＣコードから低周波ノイズが放射されるのを低減することができる。
【図面の簡単な説明】
【００１３】
【図１】本発明の一実施形態に係るノイズフィルタ回路の構成を示す電気回路図。
【図２】従来のノイズフィルタ回路の構成を示す電気回路図。
【発明を実施するための形態】
【００１４】
以下、本発明を具体化した実施形態によるノイズフィルタ回路について図面を参照して説明する。図１は、本実施形態によるノイズフィルタ回路の構成を示す。ノイズフィルタ回路１は、例えばＤＶＤレコーダやテレビジョン受像機等の電気機器装置に備えられ、電気機器装置が交流電源の供給を受けるためのＡＣコード２から電磁波ノイズが放射されるのを低減する回路である。
【００１５】
ノイズフィルタ回路１は、ＡＣコード２から交流電源の供給を受けるための１対の電源供給ライン３ａ、３ｂと、電気機器装置で発生したノイズがＡＣコード２に伝わるのを低減するためのラインフィルタ４、コンデンサ５、及びパワーインダクタ６ａ、６ｂと、過電流保護用のヒューズ７とを備える。
【００１６】
本実施形態では、ＡＣコード２は、ノイズフィルタ回路１と一体的に構成されており、１対の電源供給ライン３ａ、３ｂの一端側は、ＡＣコード２に繋がっている。１対の電源供給ライン３ａ、３ｂの他端側は、接続端子８ａ、８ｂを介して、電気機器装置の電気回路（電源回路等）に接続される。
【００１７】
ラインフィルタ４は、１対のチョークコイルから成っており、１対の電源供給ライン３ａ、３ｂ上に接続されている。コンデンサ５は、メタライズドフィルムコンデンサ（Ｘ−ＣＡＰ）であり、一端がＡＣコード２とラインフィルタ４との間における電源供給ライン３ａ（１対の電源供給ライン３ａ、３ｂの一方）に接続されていると共に、他端がＡＣコード２とラインフィルタ４との間における電源供給ライン３ｂ（１対の電源供給ライン３ａ、３ｂの他方）に接続されている。すなわち、コンデンサ５は、ＡＣコード２とラインフィルタ４との間における１対の電源供給ライン３ａ、３ｂ間に接続されている。
【００１８】
パワーインダクタ６ａは、ラインフィルタ４とコンデンサ５との間における電源供給ライン３ａ上に接続されており、パワーインダクタ６ｂは、ラインフィルタ４とコンデンサ５との間における電源供給ライン３ｂ上に接続されている。ヒューズ７は、ＡＣコード２とコンデンサ５との間における電源供給ライン３ａ上に接続されている。
【００１９】
このような構成のノイズフィルタ回路１によれば、１対の電源供給ライン３ａ、３ｂ上にラインフィルタ４が接続され、ＡＣコード２とラインフィルタ４との間における１対の電源供給ライン３ａ、３ｂ間にコンデンサ５が接続され、電源供給ライン３ａ、３ｂ上にパワーインダクタ６ａ、６ｂが接続された構成により、電気機器装置で発生する３０ＭＨｚ前後の高周波ノイズがＡＣコード２に伝わるのを低減することができ、ＡＣコード２から３０ＭＨｚ前後の高周波ノイズが放射されるのを低減することができる。
【００２０】
しかも、パワーインダクタ６ａ、６ｂがラインフィルタ４とコンデンサ５との間に接続された構成により、コンデンサ５をパワーインダクタ６ａ、６ｂよりもＡＣコード２に近い側に配することができるので、パワーインダクタ６ａ、６ｂが発生源となる１ＭＨｚ以下の低周波ノイズをコンデンサ５により除去することができる。これにより、パワーインダクタ６ａ、６ｂが発生源となる１ＭＨｚの低周波ノイズがＡＣコード２に伝わるのを低減することができるので、ＡＣコード２から１ＭＨｚ以下の低周波ノイズが放射されるのを低減することができる。
【００２１】
なお、本発明は、上記実施形態の構成に限られず、種々の変形が可能である。例えば、パワーインダクタは、１対の電源供給ラインのうちのいずれか一方の電源供給ライン上にのみに接続されていてもよい。また、コンデンサは、メタライズドフィルムコンデンサ（Ｘ−ＣＡＰ）に限られず、他のコンデンサであってもよい。また、ＡＣコンセントは、ノイズフィルタ回路と別体に構成されていてもよい。
【符号の説明】
【００２２】
１    ノイズフィルタ回路
２    ＡＣコード
３ａ、３ｂ    電源供給ライン
４    ラインフィルタ
５    コンデンサ
６ａ、６ｂ    パワーインダクタ
７    ヒューズ
８ａ、８ｂ    接続端子
【図１】
2011061477.tif 000003
【図２】
2011061477.tif 000004